(57)【要約】  【課題】販売店の中古車情報をインターネットにより短時間で利用者へ提供できるようにするとともに、情報の更新を簡素化して常に最新の在庫情報とする。  【解決手段】センターサーバ１１がインターネットを介して販売店の通信端末１３と利用者の通信端末１４や利用者の携帯電話１６とに接続されて通信を行う情報提供システムである。センターサーバ１１には、販売店が提供した中古車販売情報を記憶し且つ利用者からの中古車購買情報に基づいて前記中古車販売情報を検索するデータベース２０を備えている。センターサーバ１１が利用者の通信端末１４や利用者の携帯電話１６から利用者の識別情報が含まれているＥメールを受信したときは、折り返し、利用者の通信端末１４や利用者の携帯電話１６へ所定の情報を提供して、利用者がデータベース２０を閲覧できるようにする。【選択図】図２
2006092083.tif 000002
【特許請求の範囲】
【請求項１】
センターサーバがインターネットを介して販売店の通信端末と利用者の通信端末とに接続されて通信を行う情報提供システムであって、
センターサーバには、前記販売店が提供した中古車販売情報を記憶し且つ利用者からの中古車購買情報に基づいて前記中古車販売情報を検索するデータベースを備え、センターサーバが利用者の通信端末から利用者の識別情報が含まれているＥメールを受信したときは、当該利用者の通信端末へ所定の情報を提供するように構成されたことを特徴とする中古車情報提供システム。
【請求項２】
上記センターサーバにはデータベースに記憶されているデータに基づいて中古車の在庫管理を行う在庫管理手段を備えている請求項１記載の中古車情報提供システム。
【請求項３】
上記センターサーバにはＷｅｂページ作成手段を備え、データベースに記憶されているデータ及び検索結果をＷｅｂページに表示するように構成された請求項１または２記載の中古車情報提供システム。
【請求項４】
上記センターサーバには販売店用のＷｅｂページ代行作成手段を備え、販売店の通信端末から送られた店舗情報に基づき販売店用のＷｅｂページを代行作成するように構成された請求項１，２または３記載の中古車情報提供システム。
【請求項５】
上記センターサーバには販売店用のチラシ作成手段を備え、販売店の通信端末から送られた販売情報に基づき販売店用のチラシを作成するように構成された請求項１，２，３または４記載の中古車情報提供システム。
【請求項６】
上記センターサーバには販売店用のＰＯＰ作成手段を備え、販売店の通信端末から送られた店舗情報及び販売情報に基づき販売店用のＰＯＰを作成するように構成された請求項１，２，３，４または５記載の中古車情報提供システム。
【請求項７】
上記センターサーバには販売店と利用者間の商談設定手段を備え、両者間の商談場所・日時等の商談設定を表示するように構成された請求項１，２，３，４，５または６記載の中古車情報提供システム。
【発明の詳細な説明】
【技術分野】
【０００１】
本発明は中古車情報提供システムに関するものであり、特に、センターサーバがインターネットを介して販売店の通信端末と利用者の通信端末とに接続されて通信を行う中古車情報提供システムに関するものである。
【背景技術】
【０００２】
従来の中古車販売に関しては、自社在庫の中古車を店頭に展示するとともに、在庫の中古車販売情報を載せたチラシを作成して新聞に折り込み広告を行い、或いは、自動車関連の雑誌に広告を掲載して利用者へ中古車販売情報を提供するのが一般的であった。この場合、中古車の仕入れの時点から、チラシを作成して新聞折込までに２週間程度の時間を費やしており、月刊雑誌に広告を出稿する場合は１か月以上の時間が必要であった。
【０００３】
一方、インターネットが普及してきた近時では、在庫の中古車販売情報をＷｅｂページ（所謂ホームページ）に掲載するケースが急増している。利用者はパソコンや携帯電話等の通信端末により当該Ｗｅｂページにアクセスして、任意の時間に任意の場所で中古車販売情報を得ることが可能となっている（例えば、特許文献１参照）。
【特許文献１】特開２００４−７０４３６号公報
【発明の開示】
【発明が解決しようとする課題】
【０００４】
特許文献１記載の発明は、販売店の中古車情報を仲介役である中古車情報提供者のＷｅｂページに掲載するものであり、従来のチラシや雑誌による情報提供に比べて、利用者に対する中古車販売情報を短時間で提供できる。しかし、自社のＷｅｂページではないため、在庫状況が変わる度に販売店から中古車情報提供者に新しい情報を知らせて、当該Ｗｅｂページを更新する必要があり、その手間が煩雑であるとともに、中古車販売情報の更新遅れによる利用者に古い情報での誤認を与えるという不具合がある。自社でＷｅｂページを作成すればよいが、Ｗｅｂページの作成にはある程度の知識が必要であり、また、更新作業や維持管理作業に多大なコストと工数を要することになる。
【０００５】
そこで、販売店の中古車情報をインターネットにより短時間で利用者へ提供できるようにするとともに、情報の更新を簡素化して常に最新の在庫情報とするために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、センターサーバがインターネットを介して販売店の通信端末と利用者の通信端末とに接続されて通信を行う情報提供システムであって、センターサーバには、前記販売店が提供した中古車販売情報を記憶し且つ利用者からの中古車購買情報に基づいて前記中古車販売情報を検索するデータベースを備え、センターサーバが利用者の通信端末から利用者の識別情報が含まれているＥメールを受信したときは、当該利用者の通信端末へ所定の情報を提供するように構成された中古車情報提供システムを提供する。
【０００７】
この構成によれば、販売店の通信端末から入力された中古車販売情報はセンターサーバのデータベースに記憶される。該データベースは新たなデータ入力によりリアルタイムでデータが更新される。また、利用者の通信端末から利用者のメールアドレスやコード等の識別情報が含まれているＥメールをセンターサーバが受信したときは、該センターサーバから利用者の通信端末へ所定の情報を提供する。そして、利用者の通信端末からデータベースへのアクセスにより、利用者の中古車購買情報に基づいてデータベースに記憶されている中古車販売情報が検索される。
【０００８】
請求項２記載の発明は、上記センターサーバにはデータベースに記憶されているデータに基づいて中古車の在庫管理を行う在庫管理手段を備えている中古車情報提供システムを提供する。
【０００９】
この構成によれば、中古車の販売により販売店の在庫が変動したときは、センターサーバのデータベースのデータが更新され、在庫管理手段により最新の在庫状況を把握できる。
【００１０】
請求項３記載の発明は、上記センターサーバにはＷｅｂページ作成手段を備え、データベースに記憶されているデータ及び検索結果をＷｅｂページに表示するように構成された中古車情報提供システムを提供する。
【００１１】
この構成によれば、センターサーバのデータベースに記憶されている中古車販売情報及び利用者からの中古車購買情報に基づく検索結果は、Ｗｅｂページ作成手段によりインターネットのＷｅｂページに表示される。
【００１２】
請求項４記載の発明は、上記センターサーバには販売店用のＷｅｂページ代行作成手段を備え、販売店の通信端末から送られた店舗情報に基づき販売店用のＷｅｂページを代行作成するように構成された請求項１，２または３記載の中古車情報提供システム。
【００１３】
この構成によれば、販売店の通信端末からセンターサーバへ販売店の店舗情報を送れば、販売店用のＷｅｂページ代行作成手段により販売店の店舗情報が含まれたＷｅｂページが代行作成されてインターネットのＷｅｂページに表示される。
【００１４】
請求項５記載の発明は、上記センターサーバには販売店用のチラシ作成手段を備え、販売店の通信端末からセンターサーバへ送られた販売情報に基づき販売店用のチラシを作成するように構成された中古車情報提供システムを提供する。
【００１５】
この構成によれば、販売店の通信端末から販売店の販売情報を送れば、販売店用のチラシ作成手段により販売店の販売情報を載せたチラシが作成されて必要部数印刷される。
【００１６】
請求項６記載の発明は、上記センターサーバには販売店用のＰＯＰ作成手段を備え、販売店の通信端末から送られた店舗情報及び販売情報に基づき販売店用のＰＯＰを作成するように構成された中古車情報提供システムを提供する。
【００１７】
この構成によれば、販売店の通信端末から販売店の店舗情報及び販売情報を送れば、販売店用のＰＯＰ作成手段により販売店の店舗を装飾するＰＯＰが作成される。
【００１８】
請求項７記載の発明は、上記センターサーバには販売店と利用者間の商談設定手段を備え、両者間の商談場所・日時等の商談設定を表示するように構成された中古車情報提供システムを提供する。
【００１９】
この構成によれば、利用者がＷｅｂページを閲覧して中古車を特定したときは、商談設定手段により該当の販売店と利用者間の商談場所・日時等の商談設定がインターネットのＷｅｂページに表示される。
【発明の効果】
【００２０】
請求項１記載の発明は、販売店の通信端末から入力された中古車販売情報がセンターサーバに備えたデータベースに記憶され、該データベースは新たなデータ入力によりリアルタイムでデータが更新されるので、販売店の在庫が変動した場合でも常に最新の中古車販売情報を得ることができる。また、利用者のメールアドレスやコード等の識別情報が含まれているＥメールをセンターサーバが受信したときは、該センターサーバから利用者の通信端末へ所定の情報を提供し、そして、利用者の通信端末からセンターサーバのデータベースにアクセスすることにより、利用者の中古車購買情報に対応する最新の中古車販売情報を検索することができる。斯くして、販売店の人手を煩わすことなく、迅速且つ確実に中古車販売情報提供することができる。
【００２１】
請求項２記載の発明は、センターサーバに在庫管理手段を備えているので、販売店は最新の在庫状況を確実に把握することができる。
【００２２】
請求項３記載の発明は、センターサーバにはＷｅｂページ作成手段を備えているので、センターサーバのデータベースに記憶されている中古車販売情報をインターネットのＷｅｂページに表示できるとともに、利用者からの中古車購買情報に基づく検索結果もリアルタイムでＷｅｂページに表示でき、従来の紙媒体による情報と比べて極めて短時間で正確に中古車販売情報及び検索結果を利用者へ提供することができる。
【００２３】
請求項４記載の発明は、センターサーバには販売店用のＷｅｂページ代行作成手段を備えているので、販売店はＷｅｂに関する特別な知識がなくても簡単に販売店用のＷｅｂページを作成することができる。
【００２４】
請求項５記載の発明は、センターサーバには販売店用のチラシ作成手段を備えているので、販売店の販売情報を送れば、簡単且つ迅速に販売店の販売情報を載せたチラシを作成することができ、必要な部数を印刷することができる。
【００２５】
請求項６記載の発明は、センターサーバには販売店用のＰＯＰ作成手段を備えているので、販売店の店舗情報及び販売情報を送れば、簡単且つ迅速に販売店の店舗を装飾するＰＯＰを作成することができる。
【００２６】
請求項７記載の発明は、センターサーバには販売店と利用者間の商談設定手段を備えているので、利用者が中古車を特定したときにＷｅｂページにて簡単に販売店と利用者間の商談場所・日時等の商談設定を行うことができる。
【発明を実施するための最良の形態】
【００２７】
以下、本発明に係る中古車情報提供システムについて、好適な実施例をあげて説明する。販売店の中古車情報をインターネットにより短時間で利用者へ提供できるようにするとともに、情報の更新を簡素化して常に最新の在庫情報とするという目的を、センターサーバがインターネットを介して販売店の通信端末と利用者の通信端末とに接続され、センターサーバには、前記販売店が提供した中古車販売情報を記憶し且つ利用者からの中古車購買情報に基づいて前記中古車販売情報を検索するデータベースを備え、センターサーバが利用者の通信端末から利用者の識別情報が含まれているＥメールを受信したときは、当該利用者の通信端末へ所定の情報を提供するように構成したことにより実現した。
【実施例】
【００２８】
図１は中古車情報提供システムの概念図であり、センターサーバ１１がインターネット１２を介して、中古車販売店の通信端末１３と利用者の通信端末１４とに接続されて、相互に通信を行えるように構成されている。また、携帯電話網１５を介して利用者の携帯電話１６からインターネット１２に接続され、利用者の携帯電話１６と前記センターサーバ１１とが接続できるように構成されている。中古車販売店は予め本システムの管理者とシステム利用契約を締結することにより、前記センターサーバ１１に接続して中古車情報提供システムを利用することが可能となる。
【００２９】
図２はセンターサーバ１１の概念図であり、センターサーバ１１には、販売店が提供した中古車販売情報を記憶し且つ利用者からの中古車購買情報に基づいて前記中古車販売情報を検索するデータベース２０を備えている。該データベース２０には本システムの管理データ等が記憶されているとともに、システム利用契約を締結した販売店の店舗情報や中古車在庫情報等が販売店の通信端末１３からセンターサーバ１１へ送られると、送受信手段２１を介して販売店の中古車販売情報としてデータベース２０に記憶される。
【００３０】
また、利用者がインターネット１２を介して所定の手続きを行うことにより、利用者の通信端末１４または利用者の携帯電話１６（以下、説明の都合上、利用者の通信端末１４等と省略する）からセンターサーバ１１のデータベース２０へのアクセスが可能となる。所定の手続きとは、利用者の通信端末１４等から、例えば利用者の住所や氏名、Ｅメールアドレス等の個人の識別情報が含まれているＥメールをセンターサーバ１１へ送信するものであり、センターサーバ１１は該Ｅメールを受信したときは、折り返し前記データベース２０の閲覧が可能なパスワードを利用者の通信端末１４等へ送信し、利用者がセンターサーバ１１のデータベース２０にアクセスできるようにするものである。このほか、通信本文がなくて利用者のＥメールアドレスのみの所謂空メールをセンターサーバ１１へ送信することにより、センターサーバ１１から折り返し前記データベース２０の閲覧が可能なパスワードを利用者の通信端末１４等へ送信するようにしてもよい。
【００３１】
上記センターサーバ１１には、データベース２０のデータを検索する検索手段２２を備えてあり、前述した手順によりデータベース２０の閲覧が可能となった利用者が、該検索手段２２を介してデータベース２０の中古車販売情報を閲覧し、利用者が所望する中古車購買情報に基づいてデータベース２０の中古車販売情報を検索できるように構成されている。従って、販売店の人手等を煩わすことなく、迅速且つ確実に中古車販売情報を提供することができる。
【００３２】
上記センターサーバ１１には、前記データベース２０に記憶されているデータに基づいて中古車の在庫管理を行う在庫管理手段２３を備えており、中古車の販売により販売店の在庫が変動したときは、前記データベース２０のデータが更新されるため、本システムの管理者はこの在庫管理手段２３により最新の在庫状況を把握することができる。尚、利用者の通信端末１４等からは前記データベース２０に記憶されている販売店の店舗情報や中古車在庫情報等、中古車販売情報のみ閲覧可能で、この在庫管理手段２３にはアクセスできないように構成されている。
【００３３】
上記センターサーバ１１には、Ｗｅｂページ作成手段２４を備えており、データベース２０に記憶されている中古車販売情報をインターネット１２のＷｅｂページに表示する。前記データベース２０の更新に伴って、Ｗｅｂページには常に新しい中古車販売情報が表示される。また、利用者の通信端末１４等から利用者がデータベース２０にアクセスし、利用者の所望する中古車購買情報に基づく検索結果もリアルタイムでＷｅｂページに表示でき、従来の紙媒体による情報と比べて極めて短時間で正確に中古車販売情報及び検索結果を利用者へ提供することができる。
【００３４】
上記センターサーバ１１には、販売店用のＷｅｂページ代行作成手段２５を備えており、販売店の通信端末１３からセンターサーバ１１へ販売店の店舗情報を送れば、販売店用のＷｅｂページ代行作成手段により販売店の店舗情報が含まれたＷｅｂページが代行作成されてインターネットのＷｅｂページに表示される。従って、販売店はＷｅｂに関する特別な知識がなくても簡単に販売店用のＷｅｂページを作成することができる。
【００３５】
上記センターサーバ１１には、販売店用のチラシ作成手段２６を備えており、販売店の通信端末１３からセンターサーバ１１へ販売店の中古車販売情報を送れば、チラシ作成手段２６がこの情報に基づいて販売店の販売情報を載せたチラシを作成し、必要部数のチラシが印刷される。斯くして、販売店の販売情報を載せたチラシを簡単且つ迅速に作成することができる。
【００３６】
上記センターサーバ１１には、販売店用のＰＯＰ作成手段２７を備えており、販売店の通信端末１３からセンターサーバ１１へ販売店の店舗情報及び販売情報を送れば、販売店用のＰＯＰ作成手段２７がこの情報に基づいて販売店の店舗を装飾するＰＯＰを作成する。斯くして、簡単且つ迅速に販売店の店舗を装飾するＰＯＰを作成することができる。
【００３７】
上記センターサーバ１１には、販売店と利用者間の商談設定手段２８を備えており、利用者がＷｅｂページを閲覧して中古車を特定したときは、商談設定手段２８により該当の販売店と利用者間の商談場所・日時等の商談設定がインターネット１２のＷｅｂページに表示される。斯くして、利用者が中古車を特定したときは、簡単に販売店と利用者間の商談場所・日時等の商談設定を行うことができる。
【００３８】
このように、本発明の中古車情報提供システムによって、販売店の中古車情報を短時間で正確に利用者へ提供できるようにするとともに、情報の更新を簡素化して常に最新の在庫情報が提供できるようになった。
【００３９】
尚、本発明は、本発明の精神を逸脱しない限り種々の改変を為すことができ、そして、本発明が該改変されたものに及ぶことは当然である。
【図面の簡単な説明】
【００４０】
【図１】中古車情報提供システムの概念図。
【図２】センターサーバの概念図。
【符号の説明】
【００４１】
１１  センターサーバ
１２  インターネット
１３  販売店の通信端末
１４  利用者の通信端末
１５  携帯電話網
１６  利用者の携帯電話
２０  データベース
２１  送受信手段
２２  検索手段
２３  在庫管理手段
２４  Ｗｅｂページ作成手段
２５  Ｗｅｂページ代行作成手段
２６  チラシ作成手段
２７  ＰＯＰ作成手段
２８  商談設定手段 
【図１】
2006092083.tif 000003
【図２】
2006092083.tif 000004